(57)【要約】      （修正有）【課題】太陽電池モジュールを水平状態で多段に積載した際に、太陽電池モジュールの下面中央部を支持する構造とすることで、搬送時の振動等による受光面ガラスや裏面ガラスの撓みを確実に防止する。【解決手段】太陽電池モジュール９０を水平状態で保持する保持構造体１Ｂであって、太陽電池モジュール１０のコーナー部９１ａの４箇所をそれぞれ保持する縁部保持体１０と、太陽電池モジュール９０の下面の中央部９０ｂを保持する中央部保持体２０Ｂと、縁部保持体１０と中央部保持体２０Ｂとを連結する長尺状の連結体３０とを備え、これら縁部保持体１０、中央部保持体２０Ｂ、及び連結体３０が樹脂等によって一体に形成されている。【選択図】図８
2013129444.tif 000002
【特許請求の範囲】
【請求項１】
太陽電池モジュールを水平状態で保持する保持構造体であって、
前記太陽電池モジュールの周縁部の複数箇所をそれぞれ保持する縁部保持体と、前記縁部保持体に連結されて前記太陽電池モジュールの中央部を保持する中央部保持体と、を備えたことを特徴とする保持構造体。
【請求項２】
請求項１に記載の保持構造体であって、
前記縁部保持体と前記中央部保持体とを連結する連結体を備えたことを特徴とする保持構造体。
【請求項３】
請求項１または請求項２に記載の保持構造体であって、
前記縁部保持体は、垂直方向に立設される基体部と、前記基体部から水平方向に突出されて前記太陽電池モジュールの周縁部を支持する支持部とを備え、前記基体部の上面と下面とには、上下に隣接配置される別の保持構造体と嵌合する嵌合部が設けられていることを特徴とする保持構造体。
【請求項４】
請求項１から請求項３までのいずれか１項に記載の保持構造体であって、
前記縁部保持体は、前記太陽電池モジュールの各角部または各側縁部を保持することを特徴とする保持構造体。
【請求項５】
請求項１から請求項４までのいずれか１項に記載の保持構造体であって、
前記中央部保持体は、前記太陽電池モジュールの中央部を部分的に保持する構造であることを特徴とする保持構造体。
【請求項６】
請求項５に記載の保持構造体であって、
前記中央部保持体は、前記連結体と一体となった筋交い構造であることを特徴とする保持構造体。
【請求項７】
請求項５に記載の保持構造体であって、
前記中央部保持体は、格子状、桟状、枠体状、または環状のいずれかの構造であることを特徴とする保持構造体。
【請求項８】
請求項１から請求項７までのいずれか１項に記載の保持構造体であって、
保持する太陽電池モジュールは、周縁部に枠を持たないフレームレス構造の太陽電池モジュールであることを特徴とする保持構造体。
【発明の詳細な説明】
【技術分野】
【０００１】
本発明は、太陽電池モジュールを水平状態で保持した状態で、多段に積載可能な保持構造体に関する。
【背景技術】
【０００２】
従来、水平に積み重ねられる光起電力モジュール（以下、太陽電池モジュールという。）を、輸送の際確実に保管するモジュール方式の差込みシステムが知られている（特許文献１参照）。
【０００３】
この差込みシステムでは、図１４に示す成形品部材１１０を用いて、太陽電池モジュールを水平に積み重ねて梱包するようになっている。
【０００４】
簡単に説明すると、図１４に示す成形品部材１１０は、円筒状に形成された支柱部１１１と、この支柱部１１１の周側壁から水平に延設された太陽電池モジュールのコーナー部を横から嵌め込んで挟持するための横方向に開口した挟持部１１２とを備え、支柱部１１１の上端面と下端面とには、上下に隣接配置される別の成形品部材１１１と順次嵌合するための、嵌合凹部１１３と嵌合凸部１１４とが設けられている。
【０００５】
この成形品部材１１０を用いて太陽電池モジュールを水平に積み重ねる場合、まず、太陽電池モジュールの各コーナー部に、それぞれ成形品部材１１０の挟持部１１２を嵌め込み、この状態で１段目の太陽電池モジュールをパレット上に載置する。次に、同様にして、２段目の太陽電池モジュールの各コーナー部に、それぞれ成形品部材１１０の挟持部１１２を嵌め込み、この状態で、パレット上に載置した１段目の太陽電池モジュールのコーナー部に嵌め込んだ成形品部材１１０と、２段目の太陽電池モジュールのコーナー部に嵌め込んだ成形品部材１１０とを上下に対峙させ、下側の成形品部材１１０の嵌合凹部１１３に上側の成形品部材１１０の嵌合凸部１１４を嵌合して、２段目の太陽電池モジュールを積み重ねる。このような手順を所定段数繰り返して、太陽電池モジュールを水平に積み重ねていくようになっている。
【０００６】
このような成形品部材１１０を用いた差込みシステムにおいて、特許文献１では、図１４に示す成形品部材１１０は、枠部材を有しないフレームレス構造の太陽電池モジュールに好適に用いられている。
【先行技術文献】
【特許文献】
【０００７】
【特許文献１】特開２００６−３２９７８号公報
【発明の概要】
【発明が解決しようとする課題】
【０００８】
ところで、上記構成の差込みシステムでは、成形品部材１１０は太陽電池モジュールの各コーナー部に嵌め込まれているだけであるため、この成形品部材１１０を用いて多段に積載された太陽電池モジュールは、コーナー部のみで支持された構造となる。
【０００９】
フレームレス構造の太陽電池モジュールは、２枚の合わせガラス構造となっており、その外形寸法は、大型のものでは、縦１４００ｍｍ、横１０００ｍｍとなっている。そして、このような大型の太陽電池モジュールを４隅のコーナー部のみで支持すると、全体の荷重が中央部にかかり、中央部が撓むといった問題がある。
【００１０】
そのため、通常は、上記のように太陽電池モジュールの各コーナー部を成形品部材１１０で保持した状態において、さらに、太陽電池モジュールの長辺側の縁部を断面コ字状に形成された緩衝部材を挟み込んで保持することで、中央部の撓みを少しでも改善するようにしている。
【００１１】
しかし、緩衝部材を設けるとはいっても、所詮は太陽電池モジュールの縁部を保持するのみであり、中央部は依然として保持されていないため、搬送時の振動等で太陽電池モジュールの中央部が上下に湾曲変動し、湾曲変動の繰り返しで受光面ガラスや裏面ガラスが損傷する可能性があり、場合によっては上下の太陽電池モジュール同士が接触若しくは衝突して受光面ガラスや裏面ガラスが破損する可能性があるといった問題があった。
【００１２】
本発明はかかる問題点を解決すべく創案されたもので、その目的は、太陽電池モジュールを水平状態で多段に積載した際に、太陽電池モジュールの中央部を支持する構造とすることで、搬送時の振動等による受光面ガラスや裏面ガラスの撓みを確実に防止することのできる保持構造体を提供することにある。
【課題を解決するための手段】
【００１３】
上記課題を解決するため、本発明の保持構造体は、太陽電池モジュールを水平状態で保持する保持構造体であって、前記太陽電池モジュールの周縁部の複数箇所をそれぞれ保持する縁部保持体と、前記縁部保持体に連結されて前記太陽電池モジュールの中央部を保持する中央部保持体と、を備えた構成としている。
【００１４】
本発明によれば、太陽電池モジュールを周縁部の複数箇所と中央部とで保持することで、輸送時の振動等によって太陽電池モジュールの中央部が上下に湾曲すること、特に中央部が下方向に湾曲することを防止することができる。
【００１５】
また、本発明の保持構造体は、前記縁部保持体と前記中央部保持体とを連結する連結体を備えた構成としている。このように、縁部保持体と中央部保持体とを連結体で連結する構造とすることで、太陽電池モジュールの中央部分部のみを中央保持体で確実に保持することができる。
【００１６】
また、本発明の保持構造体では、前記縁部保持体は、垂直方向に立設される基体部と、前記基体部から水平方向に突出されて前記太陽電池モジュールの周縁部を支持する支持部とを備え、前記基体部の上面と下面とには、上下に隣接配置される別の保持構造体と嵌合する嵌合部が設けられた構成としている。基体部に嵌合部を設けることで、太陽電池モジュールを水平に保持した状態の保持構造体を上下方向に多段に積載することができる。この場合、保持構造体は、太陽電池モジュールの中央部を中央部保持体で保持しているので、輸送時の振動等によって太陽電池モジュールの中央部が下方向に湾曲することを防止できるため、下側に積載されている太陽電池モジュールの表面と接触して太陽電池モジュールを破損してしまうことを防止することができる。
【００１７】
また、本発明の保持構造体では、前記縁部保持体は、前記太陽電池モジュールの各角部または各側縁部を保持する構成としている。このような構成によれば、縁部支持体によって太陽電池モジュールの角部または側縁部の４箇所を保持することで、太陽電池モジュールを安定して保持することができる。
【００１８】
また、本発明の保持構造体では、前記中央部保持体は、前記太陽電池モジュールの中央部を部分的に保持する構造としてもよい。このように、央部保持体を、太陽電池モジュールの中央部を部分的に保持する構造とすることで、保持強度を維持しつつ保持構造体の軽量化を図ることができる。
【００１９】
また、本発明の保持構造体では、前記中央部保持体は、前記連結体と一体となった筋交い構造としてもよい。中央保持体及び連結体を、太陽電池モジュールの中央部で交差する筋交い構造とすることで、少ない面積でもって太陽電池モジュールの中央部を確実に保持することができる。
【００２０】
また、本発明の保持構造体では、前記中央部保持体は、格子状、桟状、枠体状、または環状のいずれかの構造としてもよい。中央部保持体を格子状、桟状、枠体状、または環状のいずれかの構造とすることで、太陽電池モジュールの中央部の保持強度を維持しつつ保護構造体の軽量化、及び材料コストの低減化を図ることができる。
【００２１】
また、本発明の保持構造体では、保持する太陽電池モジュールは、周縁部に枠を持たないフレームレス構造の太陽電池モジュールであることが好ましい。周縁部に枠を持たないフレームレス構造の太陽電池モジュールであっても、太陽電池モジュールの周縁部を損傷することなく、確実に保持して、太陽電池モジュールを多段に積載することができる。
【発明の効果】
【００２２】
本発明によれば、太陽電池モジュールを周縁部の複数箇所と中央部とで保持することで、輸送時等の振動や衝撃等によって太陽電池モジュールの中央部が上下に湾曲すること、特に中央部が下方向に湾曲することを防止することができる。これにより、太陽電池モジュールを水平に保持した状態の保持構造体を上下方向に多段に積載した場合に、上下に隣接する太陽電池モジュール同士が振動等による湾曲変位によって接触し、太陽電池モジュールが破損してしまうことを防止することができる。
【図面の簡単な説明】
【００２３】
【図１】本発明の実施形態に係る保持構造体の基本構成を示す斜視図である。
【図２】図１のＡ−Ａ線に沿う断面図である。
【図３】保持構造体を斜め上方から見た斜視図である。
【図４】保持構造体を斜め下方から見た斜視図である。
【図５】保持構造体を用いてフレームレス構造の太陽電池モジュールを水平に積み重ねた状態を示す斜視図である。
【図６】図５のＢ−Ｂ線に沿う断面図である。
【図７】具体例１に係る保持構造体の斜視図である。
【図８】具体例２に係る保持構造体の斜視図である。
【図９】具体例３に係る保持構造体の斜視図である。
【図１０】具体例４に係る保持構造体の斜視図である。
【図１１】具体例５に係る保持構造体の斜視図である。
【図１２】具体例６に係る保持構造体の斜視図である。
【図１３】具体例７に係る保持構造体の斜視図である。
【図１４】太陽電池モジュールを多段に積載するための従来の成形品部材の構成を示す斜視図である。
【発明を実施するための形態】
【００２４】
以下、本発明の実施の形態について、図面を参照して説明する。
【００２５】
図１は、本発明の実施形態に係る保持構造体の基本構成を示す斜視図である。
【００２６】
この保持構造体１は、太陽電池モジュール９０を水平状態で保持する保持構造体であって、太陽電池モジュール９０の周縁部９１（９１ａ〜９１ｃ）の複数箇所、具体的には、各コーナー部９１ａの４箇所をそれぞれ保持する縁部保持体１０と、縁部保持体１０に連結されて太陽電池モジュール９０の中央部を保持する中央部保持体２０とを備えている。
【００２７】
太陽電池モジュール９０は、詳細な図示は省略しているが、太陽光を光電変換する半導体層を受光面ガラスと裏面ガラスとの間に介在させた合わせガラス構造であって、かつ、周縁部にフレームが装着されていないフレームレス構造の太陽電池モジュールである。
【００２８】
図１に示す基本構成では、中央部保持体２０は、太陽電池モジュール９０より一回り大きな長方形状の板状体となっており、端子ボックス９９が取り付けられている裏面ガラス側を上に向けて（すなわち、受光面ガラス側を中央部保持体２０に対峙するように下に向けて）載置されている。すなわち、図１に示す基本構成では、太陽電池モジュール９０の全体を中央部保持体２０で保持する構成となっている。
【００２９】
図２は、図１のＡ−Ａ線に沿う断面図、図３は、縁部保持体１０を斜め上方からみた斜視図、図４は、縁部保持体１０を斜め下方からみた斜視図である。
【００３０】
縁部保持体１０は、太陽電池モジュール９０のコーナー部９１ａを下から受け止める構造であり、平面視Ｌ字状に屈曲形成された基体部１３と、この基体部１３の内側壁面から該壁面に直交する方向に延設された四角形状の受け部（支持部）１８とを備えている。ただし、受け部１８は、図１及び図２に示す基本構成の保持構造体１では、中央部保持体２０の一部（すなわち、角部）を構成するように一体に形成されている。
【００３１】
受け部１８は、太陽電池モジュール９０のコーナー部９１ａを下から受けるように形成されており、縁部保持体１０全体の形状としては、縦断面略Ｌ字状に形成されている。
【００３２】
また、基体部１３の上端面１３ａ及び下端面１３ｂには、上下に隣接配置される別の縁部保持体１０と順次嵌合するための嵌合凸部１５及び嵌合凹部１６がそれぞれ設けられている。嵌合凸部１５は、基体部１３の各片の上端面１３ａに１個ずつ、計２個設けられており、嵌合凹部１６は、基体部１３の各片の下端面１３ｂに１個ずつ、計２個設けられている。ただし、嵌合凸部１５及び嵌合凹部１６の形成数はこれに限定されるものではなく、例えば基板部１３の上端面１３ａ及び下端面１３ｂにそれぞれＬ字状に１個ずつ、計２個設けられていてもよい。このような形状の縁部保持体１０は、中央部保持体２０も含め、例えばＰＰ（ポリプロピレン）やＡＢＳ（アクリロニトリル・ブタジエン・スチレン共重合体）等の樹脂による射出成形によって形成されている。
【００３３】
図５及び図６は、上記構成の保持構造体１を用いてフレームレス構造の太陽電池モジュール９０を水平に積み重ねた状態を示しており、図５は斜視図、図６は図５のＢ−Ｂ線に沿う断面図である。
【００３４】
図示しない基板部上に、１段目となる保持構造体１を載置し、この状態で、１段目の保持構造体１の各縁部保持体１０の受け部１８に、太陽電池モジュール９０の４隅のコーナー部９１ａを上方からそれぞれ載置する。次に、１段目の保持構造体１の各縁部保持体１０の嵌合凸部１５に、２段目となる保持構造体１の各縁部保持体１０の嵌合凹部１６をそれぞれ嵌合して、２段目の保持構造体１を１段目の保持構造体１の上に配置する。次に、この嵌合状態で、２段目の保持構造体１の各縁部保持体１０の受け部１８に、太陽電池モジュール９０の４隅のコーナー部９１ａを上方からそれぞれ載置する。この手順を所定回数繰り返すことにより、図５及び図６に示すように、保持構造体１を用いて所定枚数（例えば、２０〜３０枚程度）の太陽電池モジュール９０を多段に積載する。
【００３５】
図６に示すように、上下に所定の隙間を存して多段に積載された太陽電池モジュール９０は、その下面（受光面）側の中央部（以下、下面中央部ともいう。）９０ｂが中央部保持体２０によって保持されている。
【００３６】
この後、図示は省略しているが、全体を結束バンドによって一体に結束し、さらにその全体をフィルム状のシート（ラップ等）で包み込んで太陽電池モジュール梱包体を作製する。そして、このように作製した太陽電池モジュール梱包体を輸送コンテナに積み込んで、目的地まで輸送することになる。
【００３７】
上記構成によれば、保持構造体１によって太陽電池モジュール９０の各コーナー部９１ａと中央部９０ｂとを保持することで、輸送時の振動等によって太陽電池モジュール９０の中央部９０ｂが上下に湾曲すること、特に中央部９０ｂが下方向に湾曲することを防止することができる。
【００３８】
次に、上記構成の保持構造体１の変形例について、具体的に例を挙げて説明する。
【００３９】
（具体例１）
図７は、具体例１に係る保持構造体１Ａの斜視図である。
【００４０】
具体例１の保持構造体１Ａは、太陽電池モジュール９０の各コーナー部９１ａの４箇所をそれぞれ保持する縁部保持体１０と、太陽電池モジュール９０の下面中央部９０ｂを部分的に保持する中央部保持体２０Ａと、縁部保持体１０と中央部保持体２０Ａとを連結する長尺状の連結体３０とを備えている。
【００４１】
また、中央部保持体２０Ａは、具体例１では連結体３０と一体となった筋交い構造としている。すなわち、中央部保持体２０Ａと連結体３０とは、中央部で交差する２本の筋交い棒４０によって構成されている。
【００４２】
なお、縁部保持体１０の構成は、上記基本構成の保持構造体１の縁部保持体１０と同じ構成であるので、ここでは同符号を付して説明を省略する。また、縁部保持体１０、中央部保持体２０Ａ、及び連結体３０は、例えばＰＰ（ポリプロピレン）やＡＢＳ（アクリロニトリル・ブタジエン・スチレン共重合体）等の樹脂による射出成形によって一体に形成されている。このことは、後述する具体例２〜７においても同様である。
【００４３】
このように、本具体例１では、中央保持体２０Ａ及び連結体３０を、太陽電池モジュール９０の下面の中央部（以下、下面中央部ともいう。）９０ｂで一体に交差する２本の筋交い棒４０によって構成することで、少ない面積でもって太陽電池モジュール９０の下面中央部９０ｂを確実に保持する構造とすることができる。また、このような筋交い構造として太陽電池モジュール９０の下面中央部９０ｂを部分的に保持（すなわち、筋交い棒４０の交差部を含む近傍で保持）することで、保持強度を維持しつつ保持構造体１Ａの軽量化を図ることができる。
【００４４】
（具体例２）
図８は、具体例２に係る保持構造体１Ｂの斜視図である。
【００４５】
具体例２の保持構造体１Ｂは、太陽電池モジュール９０の各コーナー部９１ａの４箇所をそれぞれ保持する縁部保持体１０と、太陽電池モジュール９０の下面中央部９０ｂを部分的に保持する中央部保持体２０Ｂと、縁部保持体１０と中央部保持体２０Ｂとを連結する長尺状の連結体３０とを備えている。
【００４６】
具体例２では、中央部保持体２０Ｂは、太陽電池モジュール９０の中央部を含む周辺を保持する長方形状（または正方形状）の保持板となっており、この保持板２０Ｂの各角部に、各連結体３０の一方の端部がそれぞれ一体に連結されている。
【００４７】
なお、縁部保持体１０の構成は、上記基本構成の保持構造体１の縁部保持体１０と同じ構成であるので、ここでは同符号を付して説明を省略する。
【００４８】
このように、具体例２では、太陽電池モジュール９０の下面中央部９０ｂを比較的小面積の長方形状（または正方形状）の保持板２０Ｂで保持する構成とすることで、少ない面積でもって太陽電池モジュール９０の下面中央部９０ｂを確実に保持することができる。また、保持板２０Ｂによって太陽電池モジュール９０の下面中央部９０ｂを部分的に保持することで、保持強度を維持しつつ保持構造体１Ｂの軽量化を図ることができる。
【００４９】
なお、保持板２０Ｂの形状としては、このような長方形状（または正方形状）に限定されるものではなく、円盤形状や楕円形状とすることもできる。
【００５０】
（具体例３）
図９は、具体例３に係る保持構造体１Ｃの斜視図である。
【００５１】
具体例３の保持構造体１Ｃは、太陽電池モジュール９０の各コーナー部９１ａの４箇所をそれぞれ保持する縁部保持体１０と、太陽電池モジュール９０の下面中央部９０ｂを部分的に保持する中央部保持体２０Ｃと、縁部保持体１０と中央部保持体２０Ｃとを連結する長尺状の連結体３０とを備えている。
【００５２】
具体例３では、中央部保持体２０Ｃは、太陽電池モジュール９０の中央部を含む周辺を保持する環状の枠体（円環状、楕円環状等を含む）で形成された保持板となっており、この保持板２０Ｃの外周縁部の４箇所に、各連結体３０の一方の端部がそれぞれ一体に連結されている。
【００５３】
なお、縁部保持体１０の構成は、上記基本構成の保持構造体１の縁部保持体１０と同じ構成であるので、ここでは同符号を付して説明を省略する。
【００５４】
このように、具体例３では、太陽電池モジュール９０の下面中央部９０ｂを具体例２よりもさらに小面積の保持板２０Ｃで保持する構成とすることで、より少ない面積でもって太陽電池モジュール９０の下面中央部９０ｂを確実に保持することができる。また、保持板２０Ｃによって太陽電池モジュール９０の下面中央部９０ｂを部分的に保持することで、保持強度を維持しつつ保持構造体１Ｃのさらなる軽量化を図ることができる。
【００５５】
（具体例４）
図１０は、具体例４に係る保持構造体１Ｄの斜視図である。
【００５６】
具体例４の保持構造体１Ｄは、上記具体例１〜３の保持構造体１Ａ〜１Ｃと異なっている。すなわち、具体的４の保持構造体１Ｄは、太陽電池モジュール９０の対向する長辺側縁部９１ｂの中央部の各１箇所、及び対向する短辺側縁部９１ｃの中央部の各１箇所の計４箇所をそれぞれ保持する縁部保持体１０Ｄと、太陽電池モジュール９０の下面中央部９０ｂを部分的に保持する中央部保持体２０Ｄと、縁部保持体１０Ｄと中央部保持体２０Ｄとを連結する長尺状の連結体３０とを備えている。
【００５７】
具体例４では、太陽電池モジュール９０のコーナー部９１ａではなく、直線状の側縁部を保持するため、縁部保持体１０Ｄの形状が上記具体例１〜３とは異なっている。すなわち、上記具体例１〜３では、縁部保持体１０Ｄの基体部１３が平面視Ｌ字状に屈曲形成されていたが、本具体例４では直線状となっている。そして、この直線状の基体部１３の内側壁面から該壁面に直交する方向に延設されて四角形状の受け部（支持部）１８が形成されており、この受け部１８が、連結体３０の一方の端部と一体に連結（形成）されている。
【００５８】
受け部１８は、太陽電池モジュール９０の長辺側縁部９１ｂ及び短辺側縁部９１ｃをそれぞれ下から受けるように形成されており、縁部保持体１０全体の形状としては、縦断面略Ｌ字状に形成されている。縦断面形状は、上記具体例１〜３と同様である。
【００５９】
また、基体部１３の上端面１３ａ及び下端面１３ｂには、上下に隣接配置される別の縁部保持体１０と順次嵌合するための嵌合凸部１５及び嵌合凹部１６（ただし、図１０では嵌合凹部６は図示を省略している。）がそれぞれ設けられている。嵌合凸部１５は、基体部１３の上端面１３ａに２個設けられており、嵌合凹部１６は、基体部１３の下端面１３ｂに２個設けられている。ただし、嵌合凸部１５及び嵌合凹部１６の形成数はこれに限定されるものではなく、例えば基板部１３の上端面１３ａ及び下端面１３ｂにそれぞれ１個ずつ、計２個設けられていてもよい。
【００６０】
また、具体例４では、中央部保持体２０Ｄは、太陽電池モジュール９０の中央部を含む周辺を保持する長方形状（または正方形状）の保持板となっており、この保持板２０Ｄの各側縁部に、各連結体３０の他方の端部がそれぞれ一体に連結（形成）されている。
【００６１】
このように、具体例４では、太陽電池モジュール９０の下面中央部９０ｂを比較的小面積の長方形状（または正方形状）の保持板２０Ｄで保持する構成とすることで、少ない面積でもって太陽電池モジュール９０の下面中央部９０ｂを確実に保持することができる。また、保持板２０Ｄによって太陽電池モジュール９０の下面中央部９０ｂを部分的に保持することで、保持強度を維持しつつ保持構造体１Ｄの軽量化を図ることができる。
【００６２】
なお、保持板２０Ｄの形状としては、このような長方形状（または正方形状）に限定されるものではなく、円盤形状や楕円形状とすることもできる。
【００６３】
（具体例５）
図１１は、具体例５に係る保持構造体１Ｅの斜視図である。
【００６４】
具体例５の保持構造体１Ｅは、太陽電池モジュール９０の対向する長辺側縁部９１ｂの中央部の各１箇所、及び対向する短辺側縁部９１ｃの中央部の各１箇所の計４箇所をそれぞれ保持する縁部保持体１０Ｄと、太陽電池モジュール９０の下面中央部９０ｂを部分的に保持する中央部保持体２０Ｅと、縁部保持体１０Ｄと中央部保持体２０Ｅとを連結する長尺状の連結体３０とを備えている。
【００６５】
具体例５では、中央部保持体２０Ｅは、太陽電池モジュール９０の中央部を含む周辺を保持する格子状の桟によって形成された保持板となっており、この保持板２０Ｅの各側縁部に、各連結体３０の他方の端部がそれぞれ一体に連結されている。
【００６６】
なお、縁部保持体１０Ｄの構成は、上記具体例４の保持構造体１Ｄの縁部保持体１０Ｄと同じ構成であるので、ここでは同符号を付して説明を省略する。
【００６７】
このように、具体例５では、太陽電池モジュール９０の下面中央部９０ｂを格子状の桟によって形成された保持板２０Ｅで保持する構成とすることで、少ない面積でもって太陽電池モジュール９０の下面中央部９０ｂを確実に保持することができる。また、保持板２０Ｅによって太陽電池モジュール９０の下面中央部９０ｂを部分的に保持することで、保持強度を維持しつつ保持構造体１Ｄの軽量化を図ることができる。
【００６８】
（具体例６）
図１２は、具体例６に係る保持構造体１Ｆの斜視図である。
【００６９】
具体例６の保持構造体１Ｅは、太陽電池モジュール９０の対向する長辺側縁部９１ｂの中央部の各１箇所、及び対向する短辺側縁部９１ｃの中央部の各１箇所の計４箇所をそれぞれ保持する縁部保持体１０Ｄと、太陽電池モジュール９０の下面中央部９０ｂを部分的に保持する中央部保持体２０Ｆと、縁部保持体１０Ｄと中央部保持体２０Ｆとを連結する長尺状の連結体３０とを備えている。
【００７０】
具体例６では、中央部保持体２０Ｆは、太陽電池モジュール９０の中央部を含む周辺を保持する四角の枠体（四角の桟）によって形成された保持板となっており、この保持板２０Ｆの各枠片の中央部に、各連結体３０の他方の端部がそれぞれ一体に連結されている。
【００７１】
なお、縁部保持体１０Ｄの構成は、上記具体例４の保持構造体１Ｄの縁部保持体１０Ｄと同じ構成であるので、ここでは同符号を付して説明を省略する。
【００７２】
このように、具体例６では、太陽電池モジュール９０の下面中央部９０ｂを四角の枠体（四角の桟）によって形成された保持板２０Ｆで保持する構成とすることで、少ない面積でもって太陽電池モジュール９０の下面中央部９０ｂを確実に保持することができる。また、保持板２０Ｅによって太陽電池モジュール９０の下面中央部９０ｂを部分的に保持することで、保持強度を維持しつつ保持構造体１Ｄの軽量化を図ることができる。
【００７３】
（具体例７）
図１３は、具体例７に係る保持構造体１Ｇの斜視図である。
【００７４】
具体例７の保持構造体１Ｇは、太陽電池モジュール９０の対向する長辺側縁部９１ｂの中央部の各１箇所、及び対向する短辺側縁部９１ｃの中央部の各１箇所の計４箇所をそれぞれ保持する縁部保持体１０Ｄと、太陽電池モジュール９０の下面中央部９０ｂを部分的に保持する中央部保持体２０Ｇと、縁部保持体１０Ｄと中央部保持体２０Ｇとを連結する長尺状の連結体３０とを備えている。
【００７５】
具体例７では、中央部保持体２０Ｇは、太陽電池モジュール９０の中央部を含む周辺を保持する環状の枠体（円環状、楕円環状等を含む）によって形成された保持板となっており、この保持板２０Ｇの外周縁部の４箇所に、各連結体３０の一方の端部がそれぞれ一体に連結されている。
【００７６】
なお、縁部保持体１０Ｄの構成は、上記具体例４の保持構造体１Ｄの縁部保持体１０Ｄと同じ構成であるので、ここでは同符号を付して説明を省略する。
【００７７】
このように、具体例７では、太陽電池モジュール９０の下面中央部９０ｂを環状の枠体によって形成された保持板２０Ｆで保持する構成とすることで、少ない面積でもって太陽電池モジュール９０の下面中央部９０ｂを確実に保持することができる。また、保持板２０Ｅによって太陽電池モジュール９０の下面中央部９０ｂを部分的に保持することで、保持強度を維持しつつ保持構造体１Ｄの軽量化を図ることができる。
【００７８】
なお、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００７９】
１，１Ａ〜１Ｇ  保持構造体
１０，１０Ｄ  縁部保持体
１３  基体部
１３ａ  上面
１３ｂ  下面
１５  嵌合凸部
１６  嵌合凹部
１８  受け部（支持部）
２０，２０Ａ〜２０Ｇ  中央部保持体
３０  連結体
９０  太陽電池モジュール
９０ｂ  中央部（下面中央部）
９１  周縁部
９１ａ  コーナー部
９１ｂ  長辺側縁部
９１ｃ  短辺側縁部
【図１】
2013129444.tif 000003
【図２】
2013129444.tif 000004
【図３】
2013129444.tif 000005
【図４】
2013129444.tif 000006
【図５】
2013129444.tif 000007
【図６】
2013129444.tif 000008
【図７】
2013129444.tif 000009
【図８】
2013129444.tif 000010
【図９】
2013129444.tif 000011
【図１０】
2013129444.tif 000012
【図１１】
2013129444.tif 000013
【図１２】
2013129444.tif 000014
【図１３】
2013129444.tif 000015
【図１４】
2013129444.tif 000016